(57)【要約】 【課題】本考案は、歩行運動を効率的に利用して生じさせた空気流を用いて一定量の殺虫薬剤を揮散させ、安定した虫除け効果を維持できる飛翔害虫忌避用具を提供することを目的とする。【解決手段】弾性体２と中空のメイン排気路３と中空のメイン排気ノズル５３とを有し、靴７に挿入されて使用されるときに、前記弾性体２から排出される空気流が、前記メイン排気路３を介して前記メイン排気ノズル５３から排出される飛翔害虫忌避用具１０であって、前記弾性体２が中足趾節関節により踏まれる位置１ｄに配置されており、前記弾性体２に前記メイン排気路３の一端３ａが接続され、前記メイン排気路３の他端３ｂに前記メイン排気ノズル５３の一端５３ａが接続され、前記メイン排気ノズル５３の他端５３ｂには空気流排気口６が設けられており、前記弾性体２に飛翔害虫忌避成分が含有されていることを特徴とする飛翔害虫忌避用具１０により、上記課題を解決できる。【選択図】図４
0003140155.tif 000002
【実用新案登録請求の範囲】
【請求項１】
弾性体と中空のメイン排気路と中空のメイン排気ノズルとを有し、靴に挿入されて使用されるときに、前記弾性体が圧縮されることにより排出される空気流が、前記メイン排気路を介して前記メイン排気ノズルから排出される飛翔害虫忌避用具であって、前記弾性体が使用者の足の中足趾節関節により踏まれる位置に配置されるものであって、前記弾性体に前記メイン排気路の一端が接続され、前記メイン排気路の他端に前記メイン排気ノズルの一端が接続されており、前記メイン排気ノズルの他端には空気流排気口が設けられており、前記弾性体に飛翔害虫忌避成分が含有されていることを特徴とする飛翔害虫忌避用具。
【請求項２】
前記メイン排気路の一部に一端が接合するように中空のサブ排気路が備えられ、前記サブ排気路の他端が中空のサブ排気ノズルの一端に接続されており、前記サブ排気ノズルの他端には空気流排気口が設けられていることを特徴とする請求項１に記載の飛翔害虫忌避用具。
【請求項３】
前記メイン排気ノズルおよび前記サブ排気ノズルの長さが、靴に挿入して使用する際に前記空気流排気口が靴の履き口から露出するような長さとされていることを特徴とする請求項１または請求項２のいずれか１項に記載の飛翔害虫忌避用具。
【請求項４】
前記弾性体が、不織布あるいはスポンジから選択される多孔質材料であることを特徴とする請求項１〜３のいずれか１項に記載の飛翔害虫忌避用具。
【請求項５】
前記弾性体が、２枚以上のインソールの間に配置されていることを特徴とする請求項１〜４のいずれか１項に記載の飛翔害虫忌避用具。
【請求項６】
前記弾性体が、インソールの中に配置されていることを特徴とする請求項１〜４のいずれか１項に記載の飛翔害虫忌避用具。
【請求項７】
前記飛翔害虫忌避成分が常温揮散性成分を含むことを特徴とする請求項１〜６のいずれか１項に記載の飛翔害虫忌避用具。
【請求項８】
前記常温揮散性成分が殺虫剤、植物精油もしくは香料のいずれかの成分を含むことを特徴とする請求項７に記載の飛翔害虫忌避用具。
【請求項９】
前記殺虫剤が、メトフルトリン、トランスフルスリンもしくはエンペンスリンのいずれかの化合物を含むことを特徴とする請求項８に記載の飛翔害虫忌避用具。
【考案の詳細な説明】
【技術分野】
【０００１】
本考案は、飛翔害虫忌避用具に関する。特に、屋外における散策活動や、森林等でのハイキングや登山活動時においての使用に優れた飛翔害虫忌避用具に関する。
【背景技術】
【０００２】
害虫忌避用具に関する発明または考案として、特許文献１には、揮発性薬剤を含侵させたハニカムシートから徐々に薬剤を揮散させる虫除けチューブが開示されている。また、特許文献８には、インテリア兼用型の薬剤揮散体容器が開示されている。しかし、これらは大きさ、重さなどの点で携帯用の害虫忌避用具としては好ましくない。
従来の携帯用の害虫忌避用具では、殺虫薬剤を含侵させた担体を、腕もしくは身体の一部などに適当な固定具で装着し、電池駆動式もしくは無動力式のファンを用いて前記担体に風を当てて、出来るだけ多くの殺虫薬剤を大気中へ揮散させることにより、虫除けを行っている。
【０００３】
電源式もしくは電池駆動式ファンを用いた場合には、殺虫薬剤の揮散量を常に安定して確保することができる。しかし、このような電源式もしくは電池駆動式ファンを用いた害虫忌避用具を足に装着した場合には、ある程度の大きさ、重さのある電源部もしくは電池駆動部を装着することとなり、歩行などの運動に支障が発生する場合があるとともに、屋外活動で使用した場合には、この電源部もしくは電池駆動部が雨などに濡れて機械故障が生ずる場合がある。
また、無動力式ファンを用いた場合には、殺虫有効成分を常に揮散するだけの風を当てること、および揮散量の安定確保が困難であり、安定した虫除け効果を期待することはできない。
【０００４】
ファンを用いない害虫忌避用具に用いる空気送出機構として、エアポンプが考えられる。たとえば、特許文献２〜６および特許文献９〜１３には、中敷（インソール）あるいは靴にエアポンプなどの空気送出機構を付帯させ、中敷（インソール）あるいは靴から靴の内部に空気を送出する技術が開示されている。
【０００５】
しかし、これらの空気送出機構は靴の内部の換気を目的として設計されており、これらの空気送出機構により送出される空気に殺虫薬剤を含有させたとしても、靴の内部に殺虫薬剤が噴霧されるだけで、人間の体に集まる飛翔害虫を忌避する役割をさせることはできない。
【０００６】
また、特許文献３、７には、歩行を利用して靴内部に配置した弾性体を変形させて発生する気流を用いて靴の内部の換気を行う例が開示されている。この弾性体は踵部に配置されているが、人間の歩行時における足骨格の動きを分析すると、靴底への圧力が最も大きい位置は、人間の中足趾節関節で踏みつけられる位置であり、この構成では、歩行運動により効率的に空気を送出させることはできない。
【特許文献１】特開２００７−２９０１６号公報
【特許文献２】特開２００２−８５１０３号公報
【特許文献３】特開２００７−２４４８２１号公報
【特許文献４】特開２００６−１６７３９１号公報
【特許文献５】特開２００１−１０７０２２号公報
【特許文献６】特開２００１−５７９０２号公報
【特許文献７】特開平１１−３２８０９号公報
【特許文献８】実用新案登録第３０３１７１４号公報
【特許文献９】実用新案登録第３１１７９６７号公報
【特許文献１０】実用新案登録第３１０５８６２号公報
【特許文献１１】実用新案登録第３０４６９１９号公報
【特許文献１２】実用新案登録第３０３１８８６号公報
【特許文献１３】実用新案登録第３０３００００号公報
【考案の開示】
【考案が解決しようとする課題】
【０００７】
本考案は、上記事情を鑑みてなされたもので、歩行運動を効率的に利用して生じさせた空気流を用いて一定量の殺虫薬剤を揮散させ、安定した虫除け効果を維持できる飛翔害虫忌避用具を提供することを目的とする。
【課題を解決するための手段】
【０００８】
上記の目的を達成するために、本考案は以下の構成を採用した。すなわち、
本考案の飛翔害虫忌避用具は、弾性体と中空のメイン排気路と中空のメイン排気ノズルとを有し、靴に挿入されて使用されるときに、前記弾性体が圧縮されることにより排出される空気流が、前記メイン排気路を介して前記メイン排気ノズルから排出される飛翔害虫忌避用具であって、前記弾性体が使用者の足の中足趾節関節により踏まれる位置に配置されるものであって、前記弾性体に前記メイン排気路の一端が接続され、前記メイン排気路の他端に前記メイン排気ノズルの一端が接続されており、前記メイン排気ノズルの他端には空気流排気口が設けられており、前記弾性体に飛翔害虫忌避成分が含有されていることを特徴とする。
【０００９】
本考案の飛翔害虫忌避用具は、前記メイン排気路の一部に一端が接合するように中空のサブ排気路が備えられ、前記サブ排気路の他端が中空のサブ排気ノズルの一端に接続されており、前記サブ排気ノズルの他端には空気流排気口が設けられていることを特徴とする。
本考案の飛翔害虫忌避用具は、前記メイン排気ノズルおよび前記サブ排気ノズルの長さが、靴に挿入して使用する際に前記空気流排気口が靴の履き口から露出するような長さとされていることを特徴とする。
本考案の飛翔害虫忌避用具は、前記弾性体が、不織布あるいはスポンジから選択される多孔質材料であることを特徴とする。
本考案の飛翔害虫忌避用具は、前記弾性体が、２枚以上のインソールの間に配置されていることを特徴とする。
【００１０】
本考案の飛翔害虫忌避用具は、前記弾性体が、インソールの中に配置されていることを特徴とする。
本考案の飛翔害虫忌避用具は、前記飛翔害虫忌避成分が常温揮散性成分を含むことを特徴とする。
本考案の飛翔害虫忌避用具は、前記常温揮散性成分が殺虫剤、植物精油もしくは香料のいずれかの成分を含むことを特徴とする。
本考案の飛翔害虫忌避用具は、前記殺虫剤が、メトフルトリン、トランスフルスリンもしくはエンペンスリンのいずれかの化合物を含むことを特徴とする。
【考案の効果】
【００１１】
本考案によれば、歩行運動を効率的に利用して生じさせた空気流を用いて一定量の殺虫薬剤を揮散させ、安定した虫除け効果を維持できる飛翔害虫忌避用具を提供することができる。
【考案を実施するための最良の形態】
【００１２】
以下、本考案を実施するための形態を説明する。
（実施形態１）
図１、２は、本考案の実施形態である飛翔害虫忌避用具の一例を示す図であって、図１は斜視図であり、図２は平面図である。
図１、２に示すように、本考案の飛翔害虫忌避用具１０は、インソール１の上面１ａに配置された円形状の弾性体２と、インソール１の中央に沿って弾性体２の後部からインソール１のメイン排気路３と、インソール１の踵部側の周囲に配置されたサブ排気路４と、メイン排気ノズル５３、サブ排気ノズル５４とから概略構成されている。
靴に挿入して使用して弾性体２を踏みつけたときに、弾性体２から排出された空気流がメイン排気路３、サブ排気路４を介してメイン排気ノズル５３、サブ排気ノズル５４の空気流排気口６から排出される構成とされている。
【００１３】
図３は、図２のインソール１上に足２０を乗せた状態を示す図である。足２０は、中足趾節関節２１、土踏まず２３、踵２２などを有している。
図３を参考にして図２を見ると分かる通り、インソール１において弾性体２は人間の足の中足趾節関節２１により踏みつけられる位置１ｄ（つま先部側より若干後ろ側の部分）に配置されている。
人間の歩行時における足骨格の動きを分析すると、靴底への圧力が最も大きい位置は、人間の中足趾節関節２１で踏みつけられる位置であるので、この構成により、歩行運動により効率的に弾性体２を圧縮、回復させて空気流を排出させることができる。
弾性体２は、飛翔害虫忌避成分が含有されてなる。
そのため、弾性体２から流出する空気流に飛翔害虫忌避成分を含有させることができ、飛翔害虫忌避成分を含有させた空気流により、人間の下半身に飛翔害虫忌避成分からなるバリア雰囲気をまず形成し、さらに人間の体全体を覆う飛翔害虫忌避成分からなるバリア雰囲気を形成して、飛翔害虫を効率的に忌避することができる。
【００１４】
本考案者らは、飛翔害虫忌避用具１０に関する一連の研究により、屋外で人間が活動する場合には、立っている人間の上半身よりも下半身に飛翔害虫がよく集まることを発見した。さらに、下半身を中心として飛翔害虫忌避成分からなるバリア雰囲気を形成すると、飛翔害虫を忌避する効果が高まることを見出した。
そのため、本考案のように、足元から飛翔害虫忌避成分を含有された空気流を流出する構成は効果的となる。人間の下半身に飛翔害虫忌避成分からなるバリア雰囲気をまず形成し、さらに人間の体全体を覆う飛翔害虫忌避成分からなるバリア雰囲気を形成することができるためである。
【００１５】
飛翔害虫忌避成分は、常温揮散性成分を含むことが好ましい。
常温揮散性成分とは、常温（２５℃前後）で容易に揮散する成分のことであり、この成分を含むことにより弾性体２から排出される空気流に容易に飛翔害虫忌避成分を含有させることができるためである。
なお、必要に応じて、揮発製剤を配合することが好ましい。揮発製剤を配合することによって、揮発性をさらに高めることができ、人間の体を取り囲むように飛翔害虫忌避成分を含むバリア雰囲気をより効率的に形成することができる。
【００１６】
常温揮散性成分は、殺虫剤、植物精油もしくは香料のいずれかの成分を含むことが好ましい。
殺虫剤、植物精油もしくは香料のいずれかの成分を含む場合には、飛翔害虫に対して効き目があるとともに、常温揮散性があるので、人間の体を取り囲むように飛翔害虫忌避成分を含むバリア雰囲気を形成して、飛翔害虫を効率的に忌避することができるためである。
殺虫剤は、メトフルトリン、トランスフルスリンもしくはエンペンスリンのいずれかの化合物を含むことが好ましい。
殺虫剤は、メトフルトリン、トランスフルスリンもしくはエンペンスリンのいずれかの化合物を含む場合には、飛翔害虫に対して効き目があるとともに、常温揮散性があるので、人間の体を取り囲むように飛翔害虫忌避成分を含むバリア雰囲気を形成して、飛翔害虫を効率的に忌避することができるためである。
【００１７】
弾性体２へ飛翔害虫忌避成分を含有させる方法は、特に限定されず、たとえば、不織布またはスポンジなどの多孔質材料からなる弾性体２に、常温揮散性の高い殺虫有効成分、害虫忌避効果を有する植物精油あるいは香料などの薬剤を滴下して所定量含侵させる方法などを挙げることができる。
弾性体２は、多孔質材料であることが好ましい。
多孔質材料は、内部に無数の微小な空孔をもつ材料であり、弾性体２を変形させて空孔を圧縮、回復させることによりエアポンプのように、多量の空気流を排出させることができる。
また、空孔の表面に多量の飛翔害虫忌避成分を付着させることができるので、１回のポンプ動作で排出させる飛翔害虫忌避成分の量を多くすることができ、飛翔害虫忌避用具の飛翔害虫忌避効果を高めることができる。
さらに、飛翔害虫忌避成分を一度に排出させることは無く、長い期間に亘って一定量の飛翔害虫忌避成分を安定して排出させることができるので、飛翔害虫忌避用具の製品寿命を延ばすことができる。
【００１８】
弾性体２は、不織布あるいはスポンジから選択されることが好ましい。
不織布あるいはスポンジは、代表的な多孔質材料として最も一般的に使用され、製品としての品質が確保されているとともに、価格も安く製造コストを下げることができるためである。
不織布あるいはスポンジを構成する材料としては、たとえば、ＰＰ（ｐｏｌｙｐｒｏｐｙｌｅｎｅ）、ＰＥ（Ｐｏｌｙｅｔｈｙｌｅｎｅ）などの樹脂材料を挙げることができる。
【００１９】
弾性体２の外周中央部には、直線状のメイン排気路３の一端３ａが接続され、メイン排気路３において踵側の端部に位置する他端３ｂはメイン排気ノズル５３の一端５３ａに接続されている。メイン排気路３は中空状に形成されており、弾性体２から排出された空気流は、メイン排気路３の中空部３ｃを通過して、メイン排気ノズル５３に排出される。
弾性体２は、メイン排気路３と接合される部分を除いて、液体流出防止フィルムで密封包装されることが好ましい。
このようにすることにより、メイン排気路３以外から飛翔害虫忌避成分が排出されることがないようにすることができ、無駄に消費される飛翔害虫忌避成分を抑制することができる。液体流出防止フィルムとしては、飛翔害虫忌避成分が流出しない透過度を有する樹脂材料などを用いることができる。
【００２０】
メイン排気路３の後端側には、サブ排気路４の一端４ａが接続され、サブ排気路４の他端４ｂはサブ排気ノズル５４の一端５４ａに直に接続されている。サブ排気路４は中空状に形成されており、メイン排気路３を通過した空気流は、サブ排気路４の中空部４ｃを通過して、サブ排気ノズル５４に排出される。
メイン排気路３の中空部３ｃの径はサブ排気路４の中空部４ｃの径よりも大きくされている。そのため、弾性体２から排出される空気流は、主にメイン排気ノズル５３に効率的に排出される構成となっている。
【００２１】
メイン排気路３、サブ排気路４の中空部３ｃ、４ｃの径の大きさは、先に記載したように異なっていてもよいが、同じであってもよい。また、メイン排気路３、サブ排気路４の数、大きさ、長さおよび中空部３ｃ、４ｃの径の大きさなどは特に限定されない。これらの値は任意に設計することができる。
【００２２】
メイン排気路３、サブ排気路４の他端３ｂ、４ｂには、それぞれメイン排気ノズル５３、サブ排気ノズル５４の一端５３ａ、５４ａが接続され、メイン排気ノズル５３、サブ排気ノズル５４の他端５３ｂ、５４ｂにはそれぞれ空気流排気口６が設けられている。メイン排気ノズル５３、サブ排気ノズル５４は中空状に形成されており、メイン排気路３、サブ排気路４から排出された空気流は、メイン排気ノズル５３、サブ排気ノズル５４の中空部５ｃを通過して、空気流排気口６から外に排出される。
また、メイン排気ノズル５３、サブ排気ノズル５４はインソール１の踵部１ｅを囲む位置に形成されている。
【００２３】
メイン排気ノズル５３、サブ排気ノズル５４の長さは、靴に挿入して使用する際に空気流排気口６が靴の履き口から若干露出するような長さで形成されている。なお、長すぎる場合は屋外活動の妨げになるので好ましくない。
メイン排気ノズル５３、サブ排気ノズル５４の長さが上記のように設定されているので、靴に挿入して飛翔害虫忌避用具１０を使用する際に、飛翔害虫忌避成分を含有した空気流が靴の内部に噴射されるのではなく、空気流排気口６から上向きに、靴を履く人間の踵の上側方向へ噴射される。
【００２４】
メイン排気路３、サブ排気路４およびメイン排気ノズル５３、サブ排気ノズル５４の材料としては、靴に装着して人間の体重がかかっても押しつぶされず、中空部３ｃ、４ｃ、５ｃを確保できる材料が好ましい。中空部３ｃ、４ｃ、５ｃさえ確保できれば、空気流を排出させることができ、空気流排気口６から飛翔害虫忌避成分を含有させた空気流を人間の体の周囲に噴出させることができる。
さらに、雨、汗にぬれても、形を崩さない程度の強度を備える材料が好ましい。雨に濡れて形が崩れてしまっては、飛翔害虫忌避用具１０の用を成さないためである。
たとえば、一般的な汎用または準汎用のエンジニアリングプラスチック樹脂材料などを用いることができる。
【００２５】
図１、２では、弾性体２およびメイン排気路３、サブ排気路４がインソール１の上に配置され固定化された例が示されているが、さらに、この上に別のインソール１を配置して、２枚のインソール１の間に弾性体２およびメイン排気路３、サブ排気路４が配置される構成としてもよい。
２枚のインソール１の間に弾性体２およびメイン排気路３、サブ排気路４が配置される構成とした場合には、人間の足が直接弾性体２およびメイン排気路３、サブ排気路４を踏みつけることがなくなり、飛翔害虫忌避用具１０の製品寿命を延ばすことができる。
なお、さらに別のインソール１を加えてクッション性を改善してもよく、異なる種類のインソール１を用いても良い。
インソール１の中に弾性体２およびメイン排気路３、サブ排気路４が配置される構成としてもよい。
インソール１の中に弾性体２およびメイン排気路３、サブ排気路４が配置される構成とした場合にも、人間の足が直接弾性体２およびメイン排気路３、サブ排気路４を踏みつけることがなくなり、飛翔害虫忌避用具１０の製品寿命を延ばすことができる。  
【００２６】
インソール１の上に弾性体２およびメイン排気路３、サブ排気路４を配置した場合、あるいは、２枚以上のインソール１の間に弾性体２およびメイン排気路３、サブ排気路４を配置した場合、さらに、インソール１の中に弾性体２およびメイン排気路３、サブ排気路４を配置した場合などに、接着剤などを用いてインソール１と弾性体２およびメイン排気路３、サブ排気路４とを固定することが好ましい。
インソール１と弾性体２およびメイン排気路３、サブ排気路４とを固定した場合には、動きによる磨耗などが無くなり、飛翔害虫忌避用具１０の製品寿命を延ばすことができる。
【００２７】
なお、図１に示すように、インソール１の上に弾性体２およびメイン排気路３、サブ排気路４を配置した場合に、メイン排気ノズル５３、サブ排気ノズル５４はインソール１から上方に突出するように配置する。２枚以上のインソール１の間に弾性体２およびメイン排気路３、サブ排気路４を配置した場合、さらに、インソール１の中に弾性体２およびメイン排気路３、サブ排気路４を配置した場合でも、メイン排気ノズル５３、サブ排気ノズル５４はインソール１から上方に突出するように配置する。
このようにすることにより、靴に挿入して使用する際に、メイン排気ノズル５３、サブ排気ノズル５４の他端５３ｂ、５４ｂに設けられた空気流排気口６を靴の履き口から若干露出させることができる。
【００２８】
図４は、本考案の実施形態である飛翔害虫忌避用具の使用方法の一例を示す透明斜視図である。
靴７は、靴の履き口７ｅと、底部７ｃと、側面部７ｆと、靴紐部７ｇとから概略構成される。一般に、靴の履き口７ｅから足を挿入し、底部７ｃに足底が配置されると、足の側面が側面部７ｆで覆われる。靴紐部７ｇには、複数の孔部１１が設けられ、孔部１１に通過された靴紐１２が引っ張られて、結び付けられることにより足が靴７に固定される。
【００２９】
図３に示すように、本考案の飛翔害虫忌避用具１０は、靴の履き口７ｅから挿入されて底部７ｃに配置される。このとき、インソール１に固定された弾性体２は人間の中足趾節関節により踏まれる位置７ｄに配置される。
【００３０】
一般に、人間は中足趾節関節が地面を踏みつけるように歩行運動を行う。そのため、中足趾節関節により踏まれる位置７ｄに弾性体２を配置すれば、最も効率的に弾性体２に対して圧縮・回復運動させることができ、弾性体２から空気流の送出を効率的に行わせることができる。
【００３１】
図５は、人間の歩行運動の動きによって、本考案の飛翔害虫忌避用具１０で空気流がどのように流れるかを説明する断面概略図である、
図５（ａ）は、歩行運動前の状態、すなわち、立ち止まっている時点の状態を示す図であり、人間が全重量をかけて飛翔害虫忌避用具１０を踏みつけている。弾性体２は圧縮されており、空気流の流れはない。
図５（ｂ）は、歩行運動を開始した時点、すなわち、足を上げた時点の状態を示す図である。足を上げることによって、弾性体２は矢印Ｐの方向に回復し、弾性体２に空気が流入され、弾性体２の内部の無数の微細な空孔に空気を充填する。
図５（ｃ）は、歩行運動の次の時点、すなわち、足を下ろした時点の状態を示す図である。足を下ろすことによって、弾性体２は再び矢印Ｑの方向に押しつぶされる。このとき、弾性体２の内部の無数の微細な空孔に充填された空気は、矢印ｒに示すように、メイン排気路３、サブ排気路４を介してメイン排気ノズル５３、サブ排気ノズル５４へ排出され、メイン排気ノズル５３、サブ排気ノズル５４の空気流排気口６から外に流出される。
【００３２】
なお、歩行運動で地面を最後に蹴り上げる時に最も強い圧力を発するのが中足趾関節２１なので、中足趾節関節２１が踏みつける位置７ｄに弾性体２が配置されるように、インソール１に弾性体２を配置しておくことが好ましい。このようにすることにより、弾性体２の圧縮、回復運動を効率的に行うことができる。弾性体２の圧縮、回復の運動を繰り返すことにより、弾性体２にエアポンプのような働きをさせることができる。この働きにより、弾性体２からメイン排気路３へ必ず空気流を排出させることができる。
【００３３】
なお、弾性体２は、飛翔害虫忌避成分を含有しているので、弾性体２から排出される空気流は、飛翔害虫忌避成分を含むものとなる。
この飛翔害虫忌避成分を含有して排出された空気流は、まず、足元から人間の下半身を取り囲んだ後、上半身を取り囲むように流れる。その結果、人間の体全体を包むように、飛翔害虫忌避成分からなるバリア雰囲気が形成され、屋外で有効に飛翔害虫を忌避することができる。
【００３４】
本考案の飛翔害虫忌避用具１０は、靴７にインソール１として挿入して使用することができる構成なので、歩行運動の際に人間の中足趾節関節が踏みつける部分に弾性体２を配置して、歩行運動で自然に踏みつける力を利用して、効率的に弾性体２の圧縮、回復運動を行って、エアポンプのように、飛翔害虫忌避成分を含有させた空気流を排出させることができる。そのため、歩行運動を行うと自然に、人間の全身を覆うように飛翔害虫忌避成分からなるバリア雰囲気を形成することができる。
【００３５】
本考案の飛翔害虫忌避用具１０は、弾性体２が、飛翔害虫忌避成分を含有させた不織布あるいはスポンジなどの多孔質材料からなる構成なので、飛翔害虫忌避成分を多く含有させることができるとともに、一度に排出する空気流の量を多くすることができる。そのため、効き目を向上させることができる。さらに、長期間に亘って一定量の飛翔害虫忌避成分を排出させることができ、飛翔害虫忌避用具としての製品寿命を長くすることができる。
【００３６】
本考案の飛翔害虫忌避用具１０は、靴の履き口７ｅから空気流排気口６が露出される構成なので、飛翔害虫忌避成分を含有させた空気流を足元から噴出させることができ、人間の下半身を覆うように飛翔害虫忌避成分からなるバリア雰囲気を形成することができる。さらに、人間の全身を覆うように飛翔害虫忌避成分からなるバリア雰囲気を形成することができる。そのため、人間の下半身にまず集まる飛翔害虫を忌避できるとともに、全身に集まる飛翔害虫を忌避することが出来る。
【００３７】
本考案の飛翔害虫忌避用具１０は、弾性体２に、殺虫剤、植物精油もしくは香料のいずれかの常温揮散性がある飛翔害虫忌避成分を含有させる構成なので、空気流に容易に殺虫剤、植物精油もしくは香料のいずれかの飛翔害虫忌避成分を含有させることができ、容易に、人間の体を取り囲むように飛翔害虫忌避成分からなるバリア雰囲気を形成することができる。
【００３８】
本考案の飛翔害虫忌避用具１０は、弾性体２に、メトフルトリン、トランスフルスリンもしくはエンペンスリンのいずれかの常温揮散性がある殺虫剤を含有させる構成なので、空気流に容易に殺虫剤、植物精油もしくは香料のいずれかの飛翔害虫忌避成分を含有させることができ、容易に、人間の体を取り囲むように飛翔害虫忌避成分からなるバリア雰囲気を形成することができる。
【００３９】
以下、本考案を実施例に基づいて具体的に説明する。しかし、本考案はこれらの実施例にのみ限定されるものではない。
【実施例】
【００４０】
図１、２に示す形状の本考案の飛翔害虫忌避用具を、次のようにして製造した。
まず、スポンジからなる多孔質材料を用いて弾性体を作製し、エンペンスリン１％エタノール溶液を３ｍｌ、この弾性体に含侵させた。
次に、この弾性体に排気路を接合し、排気路に排気ノズルを接合した。その後、この弾性体を液体の透過を遮断する樹脂製フィルムを用いて密封包装した。
最後に、２枚のインソールの間に弾性体および排気路を配置して接着剤で固定して、本考案の飛翔害虫忌避用具とした。
【００４１】
本考案の飛翔害虫忌避用具の効果を次のようにして確認した。
本考案の飛翔害虫忌避用具を両足のスニーカーにインソール（中敷）として挿入したテスター（実施例用研究員）３名と、本考案の飛翔害虫忌避用具を用いないテスター（比較例用研究員）３名により、夏の屋外の市街地散策及び森林公園の山道で３時間の散策を行った。実施例用研究員はいずれも手足の皮膚露出面へヤブカなどによる虫にさされることはなかった。比較例用研究員はいずれも手足の皮膚露出面へヤブカなどによる虫にさされた。
【産業上の利用可能性】
【００４２】
本考案は、飛翔害虫忌避用具に関するものであって、飛翔害虫忌避用具を製造あるいは販売する産業において利用可能性がある。
【図面の簡単な説明】
【００４３】
【図１】本考案の飛翔害虫忌避用具の一例を示す斜視図である。
【図２】本考案の飛翔害虫忌避用具の一例を示す平面図である。
【図３】インソール上に足を配置した一例を示す図である。
【図４】本考案の飛翔害虫忌避用具の使用方法の一例を説明する斜視図である。
【図５】本考案の飛翔害虫忌避用具の空気流の流れの一例を説明する断面図である。
【符号の説明】
【００４４】
１…インソール、１ａ…上面、１ｄ…中足趾節関節により踏まれる位置、１ｅ…踵部、２…弾性体、３…メイン排気路、３ａ…一端、３ｂ…他端、３ｃ…中空部、４…サブ排気路、４ａ…一端、４ｂ…他端、４ｃ…中空部、５ｃ…中空部、６…空気流排気口、７…靴、７ｃ…底部、７ｄ…中足趾節関節により踏まれる位置、７ｅ…靴の履き口、７ｆ…側面部、７ｇ…靴紐部、１０…飛翔害虫忌避用具、１１…孔部、１２…靴紐、２０…足、２１…中足趾節関節、２２…踵、２３…土踏まず、５３…メイン排気ノズル、５３ａ…一端、５３ｂ…他端、５４…サブ排気ノズル、５４ａ…一端、５４ｂ…他端。
【図１】
0003140155.tif 000003
【図２】
0003140155.tif 000004
【図３】
0003140155.tif 000005
【図４】
0003140155.tif 000006
【図５】
0003140155.tif 000007